(57)【要約】【課題】複数の異なる規格の記録媒体を使用できるディスク装置において、セットアップが完了するまでの時間を短縮する効果のあるディスク装置を提供すること。【解決手段】複数の異なる規格の記録媒体を使用できるディスク装置において、前もって、最優先してセットアップ処理を行う記録媒体のディスク種（規格）を指定（設定）できるように、構成する。【選択図】      図２
2004192680.tif 000002
【特許請求の範囲】
【請求項１】
異なる規格のディスク記録媒体に記録を行い、再生することが可能なディスク装置において、
最優先してセットアップ処理するディスク状記録媒体の規格を、指定可能としたことを特徴としたディスク装置。
【請求項２】
請求項１記載において、
前記した最優先してセットアップ処理するディスク状記録媒体の規格は、ユーザーが指定することを特徴とするディスク装置。
【請求項３】
請求項１記載において、
前記した最優先してセットアップ処理するディスク状記録媒体の規格は、前回使用されたディスク状記録媒体の規格が自動的に指定されることを特徴とするディスク装置。
【請求項４】
請求項１記載において、
前記した最優先してセットアップ処理するディスク状記録媒体の規格は、最も使用頻度の高いディスク状記録媒体の規格が自動的に指定されることを特徴とするディスク装置。
【請求項５】
異なる規格のディスク記録媒体を再生することが可能なディスク装置において、
最優先してセットアップ処理するディスク状記録媒体の規格を、指定可能としたことを特徴としたディスク装置。
【発明の詳細な説明】
【０００１】
【発明の属する技術分野】
本発明は、光ディスクなどのディスク状記録媒体を用いるディスク装置に係り、特に、数種類の記録媒体に動画及び音声などの情報を記録し再生することが可能なディスク装置に適用して好適な、セットアップにかかわる技術に関する。
【０００２】
【従来の技術】
複数の異なる規格の記録媒体を使用できる光ディスク装置において、光ディスクが装着された際に、まず、第１種の光ディスクに対応する再生条件にてセットアップを行い、これが成功しなかった場合には、第２種の光ディスクに対応する再生条件にてセットアップを行うようにした技術が知られている（特許文献１参照）。この特許文献１に記載された技術では、どのような規格の光ディスクを優先的に選択して、セットアップを行うかの条件設定については、考慮されていなかった。
【０００３】
【特許文献１】
特開２００１−３３２０１１号公報
【０００４】
【発明が解決しようとする課題】
前記従来技術では、最初のセットアップにおいて適用される再生条件が、常にに第１種の光ディスクとしてディスク種が固定されるため、光ディスク装置の使用者の使用するディスク種使用頻度の傾向が、全く反映されないという問題がある。つまり例えば、光ディスク装置が最初にセットアップを行う第１種の光ディスクがＣＤ−Ｒであった場合には、ディスク装置の使用者がＤＶＤ−Ｒの使用頻度が高い傾向にあっても、まず、ＣＤ−Ｒの再生条件にてセットアップが行われ、このセットアップが完了しないため、第２種、第３種、……の光ディスクの再生条件にてセットアップが試みられていく。このため、実際の使用ディスクであるＤＶＤ−Ｒの再生条件にてセットアップが行われるまでに、時間がかかっていた。
【０００５】
本発明は上記の点に鑑みなされたもので、その目的とするところは、複数の異なる規格の記録媒体を使用できるディスク装置において、セットアップが完了するまでの時間を短縮する効果のあるディスク装置を提供することにある。
【０００６】
【課題を解決するための手段】
上記した目的を達成するために、本発明のディスク装置は、複数の異なる規格の記録媒体を使用できるディスク装置において、前もって、最優先してセットアップ処理を行う記録媒体のディスク種（規格）を指定（設定）できるように、構成する。最優先するディスク種は、ユーザーが指定するようにしてもよいし、前回使用したディスク種を自動的に指定するようにしてもよいし、あるいは、過去の使用履歴から使用頻度の最も高いものを自動的に指定するようにしてもよい。
【０００７】
これにより、ユーザの要望に応じた、あるいは、ユーザーの使用するディスク種の過去の使用履歴を反映した、セットアップ処理の優先付けを行うので、セットアップにかかる時間を短くできることが期待できる。
【０００８】
【発明の実施の形態】
以下、本発明の実施の形態を、図面を用いて説明する。
【０００９】
まず、本発明の実施形態の説明に先立ち、複数の異なる規格の光ディスクを使用できる一般的な光ディスク装置について説明する。図３は、一般的な光ディスク装置の概略構成を示すブロック図である。なお、本明細書でいうディスク種とは、それぞれ光ディスクとしての規格が異なるものを指す。例えば、ＤＶＤであるならばディスク種は、ＤＶＤ−Ｖｉｄｅｏ、ＤＶＤ−ＲＯＭ、ＤＶＤ−Ｒ、ＤＶＤ−ＲＡＭ、ＤＶＤ−ＲＷ、ＤＶＤ＋ＲＷなどであり、この場合にはさらに１層ディスクか２層ディスクかに応じて、それぞれディスク種が異なる。また、ＣＤであるならばディスク種は、ＣＤ−ＲＯＭ、ＣＤ−Ｒ、ＣＤ−ＲＷなどである。
【００１０】
図３において、１は撮影手段で、撮影光学系２やＣＣＤ（撮像素子）３やＡ／Ｄ変換器４などからなり、被写体像を撮影光学系２によってＣＣＤ３上に結像させ、ＣＣＤ３により画像信号を得て、これをＡ／Ｄ変換器４によってデジタル化して出力する。５は、撮影手段１からの画像信号を画像データに変換処理する画像信号処理手段で、この画像信号処理手段５は、さらに、音声情報信号入力手段であるマイクロフォン１４からの音声情報信号を処理するようになっている。また、再生時には、画像信号処理手段５は、後記記録再生信号処理手段６からの画像データを、表示出力用の画像情報信号に変換処理するようになっており、さらに、この画像信号処理手段５は、後記記録再生信号処理手段６からの音声データを音声出力用の音声情報信号に変換処理するようになっている。ビデオカメラの場合、画像データ、音声データは、連続的に画像信号処理手段５において処理されており、画質、音質は、画質信号処理手段５の処理能力で決められ、その処理能力により、画像信号処理手段５から記録再生信号処理手段６に送られるデータの転送速度が決まる。
【００１１】
６は記録再生信号処理手段で、画像信号処理手段５からの画像データ（音声データを含む）を、光ディスク９へ記録するための記録フォーマットにしたがった記録データに変換するため、あるいは、光ディスク９から再生された記録データを画像データ（音声データを含む）に変換処理するため、エンコード／デコード処理、変調／復調処理、ＥＣＣ付加／誤り訂正処理などの処理を行う。光ディスク９への記録、或いは再生の転送速度は、上記記録再生信号処理手段６の処理能力、後記記録再生手段８の処理能力、光ディスクの回転速度等により決まる。７はワークエリアとして機能するメモリであり、上記画像信号処理手段５からの画像データ（音声データを含む）や、後記記録再生手段８からの画像データ（音声データを含む）を一時記憶する。上記メモリ７は、記録再生信号処理手段６から転送される記録データの転送速度が、光ディスク９に記録を行う速度より速い場合には、記録データを蓄積していく。従って、光ディスク９への記録は、メモリ７への蓄積量がメモリ容量以上にならないうちに行う必要がある。
【００１２】
８は記録再生手段、９は図示せぬスピンドルモータによって回転駆動される光ディスク、１０はレーザ光源（レーザダイオード）や光学系、光検出器等よりなる光学ヘッドであり、記録再生手段８は、光学ヘッド１０によって、メモリ７に記憶された記録データを光ディスク９へ記録し、また、光学ヘッド１０によって、光ディスク９から再生された記録データをメモリ７に一時記憶させる。１１はサーボ制御手段で、光記録に必要なサーボ制御、例えば、光学ヘッド１０のアクチェータ（図示せず）を制御するフォーカス制御やトラッキング制御、スピンドルモータ（図示せず）を制御するディスクの回転制御、アドレス位置を制御するシーク制御等を行う。
【００１３】
１５はＬＣＤ（液晶ディスプレイ）等よりなる画像表示手段である。再生時には、光学ヘッド１０で読み取られた光ディスク９上のデータ（レーザ光で照射された光ディスクからの反射光を、反射光量差として光学ヘッド１０の光検出器で読み取ったデータ）が、記録再生手段８を経て、再生された記録データとしてメモリ７に一旦蓄積された後、記録再生信号処理手段６で元の画像データに変換され、画像信号処理手段５を経て、この画像表示手段１５に表示される。また、再生データ（再生画像データおよび再生音声信号）は、画像信号処理手段５から本光ディスク装置に着脱自在に接続されるモニタ装置２０にも出力される。
【００１４】
１２は、装置全体の統括制御を司る制御マイコンよりなるシステム制御手段で、このシステム制御手段１２によって、上述した装置の各部の制御や、全体の統括管理を行う。
【００１５】
光ディスク９がどのような規格に基づく種類のディスクであるかは、例えば図４に示すような処理フローにより検出され、記録再生手段８から記録再生信号処理手段６を経て、あるいは直接、システム制御手段１２に伝達される。
【００１６】
次に、どのような規格に基づく種類の光ディスクが光ディスク装置に装着されているかを判定し、セットアップを行う、一般的な処理フローの１例を、図４を用いて説明する。
【００１７】
セットアップが開始されると、まずステップＳ１において、光学ヘッド１０が光ディスク９の内周側に移動される。次に、ステップＳ２において、光ディスク９がいかなる種類のディスクであろうと、Ａタイプの光ディスク、例えばＤＶＤディスクの各種設定値が設定される。ここで言う各種設定値とは、フォーカスエラーゲイン値など、前述した光記録／再生に必要なサーボ制御用の設定値などである。次に、ステップＳ３において、光学ヘッド１０のレンズを一定量下げ、ステップＳ４において、Ａタイプの光ディスク用のレーザを点灯する。どのレーザを点灯させるかは、光ディスクのタイプによって決まっており、波長、出力などがそれぞれ違ってくる。例えば、ＤＶＤディスクならば波長は６３０ｎｍであるし、ＣＤディスクならば波長は７８０ｎｍである。光ディスク９からの反射光をもとに各種調整が開始され、フォーカスエラー信号などの信号計測が行われるのが、ステップＳ５である。ステップＳ６の信号判定で一定の条件を満たしている場合には、光学ヘッド１０は光ディスク９の外周側に移動し、そこでも内周時と同様な計測と判定が行われるのが、ステップＳ７とステップＳ８である。ステップＳ８においても、一定の条件が満たされていると、光ディスク９はＡタイプの光ディスクと判定される（ステップＳ９）。光ディスク９がＡタイプの光ディスクと判定された後、さらに、ステップＳ１０で、Ａタイプの光ディスク中のどの光ディスク種別であるかが判定され（例えば、第ｋ種の光ディスクであると判定され）、第ｋ種の光ディスク用の種々の調整が行われる。つまり、ここでは詳述しないが、例えばＡタイプの光ディスクがＤＶＤディスクであった場合、ステップＳ１０の判定・調整において、１層ディスクか２層ディスクかの判別や、ＤＶＤ−ＲＡＭ、ＤＶＤ−Ｒ、ＤＶＤ−ＲＷなどといった種類判定が行われた後、この光ディスク種に応じて、光ディスクに記録されたデータを再生するための設定値が設定あるいは調整される。なおまた、ステップＳ１０の調整において、書き込み可能な光ディスクでライトテスト動作が必要な場合には、書き込み確認動作も行われる。
【００１８】
一方、ステップＳ６あるいはステップＳ８において、光ディスク９がＡタイプの光ディスクでないと判定されると、ステップＳ１１に移行し、Ｂタイプの光ディスク、例えばＣＤディスク、の各種設定値が設定される。この各種設定値とは、フォーカスエラーゲイン値など、前述した光記録／再生に必要なサーボ制御用の設定値などである。ステップＳ１２において、光学ヘッド１０のレンズを一定量下げる。ステップＳ１３において、Ｂタイプの光ディスク用レーザを点灯する。光ディスク９からの反射光をもとに各種調整が開始され、フォーカスエラー信号などの信号計測が行われるのがステップＳ１４である。ステップＳ１５の信号判定で一定の条件を満たしている場合には、光ディスク９はＢタイプの光ディスクと判定される（ステップＳ１６）。光ディスク９がＢタイプの光ディスクと判定された後、さらに、ステップＳ１７で、Ｂタイプの光ディスク中のどの光ディスク種別であるかが判定され（例えば、第ｎ種の光ディスクであると判定され）、第ｎ種の光ディスク用の種々の調整が行われる。つまり、ここでは詳述しないが、例えばＢタイプの光ディスクがＣＤディスクであった場合、ステップＳ１７の判定・調整において、ＣＤ−ＲＯＭ、ＣＤ−Ｒ、ＣＤ−ＲＷなどといった種類判定が行われた後、この光ディスク種に応じて、光ディスクに記録されたデータを再生するための設定値が設定あるいは調整される。なおまた、ステップＳ１７の調整において、書き込み可能な光ディスクでライトテスト動作が必要な場合には、書き込み確認動作も行われる。
【００１９】
ステップＳ１６において、光ディスク９がＢタイプの光ディスクでないと判定されると、ステップＳ１８に移行し、光ディスク９がないかミスチャッキングと判定される。図４には図示されていないが、さらに多種の光ディスクに対応する光ディスク装置の場合には、ステップＳ１８において、Ｃタイプの光ディスクの各種設定値が設定され、ＡタイプやＢタイプの光ディスク判定の時と同様なディスク種類の判定が行われることになり、さらにＤタイプ、Ｅタイプと判定が進んでいくことになる。
【００２０】
ここで、図４に示す処理フローで問題になるのは、例えば、ＡタイプのディスクがＤＶＤディスク、ＤタイプのディスクがＣＤディスクであり、光ディスク装置に装着されている光ディスク９がＣＤディスクであった場合である。この場合には、ＣＤディスクが光ディスク装置に装着されているにもかかわらず、ステップＳ６あるいはステップＳ８を過ぎるまでは、ＤＶＤディスクとみなされたまま各種設定・調整が行われており、ＣＤディスク用の設定・調整が行われるまでに時間がかかる。また、光ディスク装置の利用者が、例えば、普段ほとんどＤＶＤディスクを使用せず、例えばＣＤ−ＲＯＭディスクのみを頻繁に光ディスク装置で使用していても、毎回ＤＶＤディスク用の各種調整・設定が行われた後、ＣＤ用、さらにＣＤ−ＲＯＭ用の調整・設定が行われるのを待たねばならず、時間がかかっていた。特に、書き込み可能な光ディスク９を取り扱う装置にあっては、この書き込み可能ディスクのセットアップ処理に時間がかかるので、上記の問題はより顕著となり、ユーザーにいらいら感をつのらせていた。
【００２１】
上記の問題を解決するのが本発明の光ディスク装置である。図１は、本発明の一実施形態に係る光ディスク装置の概略構成を示すブロック図である。図１において、図３に示した構成要素と同一の構成要素には同一符号を付し、その説明は重複を避けるために割愛する。
【００２２】
図１において、３０は、光ディスク９が装着された際に、最優先してセットアップ処理する光ディスクの規格を登録設定する優先処理登録手段であり、この優先処理登録手段３０に書き替え可能に保持された優先情報は、システム制御手段１２によって参照される。ここで、最優先してセットアップ処理する光ディスクの規格は、ユーザーが設定するようにしても、前回使用された光ディスクの規格を自動的に設定するようにしても、最も使用頻度の高い光ディスクの規格に自動的に設定するようにしてもよい。この３つの設定モードはユーザーが選択可能となっており、図示せぬ適宜の入力手段を用いて、画像表示手段１５のモード設定画面を呼び出して設定を行うようになっており、さらに、ユーザーが設定を行う場合には、ディスク種選択画面において最優先するディスク種を設定するようになっている。
【００２３】
次に、どのような規格に基づく種類の光ディスクが光ディスク装置に装着されているかを判定してセットアップを行う、本実施形態の処理フローの要部の１例を、図２を用いて説明する。なお、図２において、図４と同様の処理ステップには同一符号を付してある。
【００２４】
セットアップが開始されると、まずステップＳ１において、光学ヘッド１０が光ディスク９の内周側に移動される。次に、ステップＳ２０において、優先処理登録手段３０に優先情報が登録されているか否かを判定する。優先処理登録手段３０に、最優先してセットアップ処理する光ディスクの規格が登録されていれば、例えば、最優先する光ディスクとしてＣＤ−Ｒディスクが登録されていると、ステップＳ２１において、ＣＤ−Ｒディスク、の各種設定値が設定される。この各種設定値とは、フォーカスエラーゲイン値など、前述した光記録／再生に必要なサーボ制御用の設定値などである。次に、ステップＳ２２において、光学ヘッド１０のレンズを一定量下げ、ステップＳ２３において、最優先種の光ディスク用のレーザを点灯する。光ディスク９からの反射光をもとに各種調整が開始され、フォーカスエラー信号などの信号計測が行われるのが、ステップＳ２４である。続くステップＳ２５の信号判定で、一定の条件を満たしている場合には、光ディスク９は最優先種の光ディスクと判定される（ステップＳ２６）。光ディスク９が最優先種の光ディスクと判定された後、さらに、ステップＳ２７において、最優先種の光ディスク用の種々の調整が行われる。ここでは詳述しないが、例えば最優先種の光ディスクがＣＤ−Ｒディスクであった場合には、ステップＳ２７の調整において、ＣＤ−Ｒディスクに記録されたデータを再生するための設定値が設定あるいは調整される。
【００２５】
一方、ステップＳ２０あるいはステップＳ２５において、光ディスク９が最優先種の光ディスクでないと判定されると、図４のステップＳ２に移行し、上述した、従来どおりのディスク種判定／セットアップの処理フローに移行する。
【００２６】
なお、図２には示していないが、最終的にディスク種が判定された後、システム制御手段１２は、この判定されたディスク種を、前回使用のディスク種として適宜の記憶部に格納すると共に、図示せぬ使用履歴記憶部における当該ディスク種の使用回数を１カウントアップして、その使用回数を登録する。そして、システム制御手段１２は、優先処理登録手段３０に設定する光ディスクの規格が、前回使用された光ディスクの規格とするモードの場合には、記憶部に格納された前回使用のディスク種を設定し、最も使用頻度の高い光ディスクの規格とするモードの場合には、使用履歴記憶部のデータの比較結果から、最も使用頻度の高い光ディスク種を設定する。
【００２７】
かような構成と動作をとる本実施形態の光ディスク装置では、セットアップ開始過程において、ディスク種判定を、あらかじめ指定された最優先種の光ディスクかどうかの判定から開始することによって、セットアップにかかる時間を短縮することが可能となる。
【００２８】
【発明の効果】
以上のように本発明によれば、ディスク装置のセットアップ開始過程において、まずディスク種判定を、ユーザの要望に応じた、あるいは、ユーザーの使用するディスク種の過去の使用履歴を反映した、最優先種のディスクかどうかの判定から開始することによって、セットアップにかかる時間を短縮することが可能となる。
【図面の簡単な説明】
【図１】本発明の一実施形態に係る光ディスク装置の概略構成を示すブロック図である。
【図２】本発明の一実施形態に係る光ディスク装置における、ディスク種判定／セットアップの処理フローの要部を示すフローチャートである。
【図３】一般的な光ディスク装置の概略構成を示すブロック図である。
【図４】一般的な光ディスク装置における、ディスク種判定／セットアップの処理フローを示すフローチャートである。
【符号の説明】
１  撮影手段
２  撮影光学系
３  撮像素子
４  Ａ／Ｄ変換器
５  画像信号処理手段
６  記録再生信号処理手段
７  メモリ
８  記録再生手段
９  光ディスク
１０  光学ヘッド
１１  サーボ制御手段
１２  システム制御手段
１４  マイクロホン
１５  画像表示手段
２０  モニタ装置
３０  優先処理登録手段
【図１】
2004192680.tif 000003
【図２】
2004192680.tif 000004
【図３】
2004192680.tif 000005
【図４】
2004192680.tif 000006